(57)【要約】【課題】巻き戻しによって遡った範囲をもう一度再生する巻き戻し再生で、聞き逃し区間を効率的に聞き直すことを可能にする。【解決手段】音声の再生中に運転者の運転ストレスを推定し、所定よりも高くなっている再生区間を記憶する。そして、巻き戻し再生では、記憶されている再生区間であるか否かに応じて再生速度を変更する。こうすれば、運転ストレスが高いと推定され記憶しておいた再生区間は、運転者が意味を理解していない（聞き逃し区間）と判断されるので、巻き戻す前の通常の再生と同様の再生速度で再生することで運転者の聞き取り易さを確保できる。これに対して、記憶しておいた再生区間（聞き逃し区間）の前後は、運転者が既に一度聞いて意味を理解済みであると判断されるので、再生速度を速めて聞き流すようにすることで、聞き逃し区間を前後の文脈を確認しながら効率的に聞き直すことが可能となる。【選択図】図４
2016119133.tif 000002
【特許請求の範囲】
【請求項１】
車両に適用されて、録音された音声を該車両の運転者に対して再生する音声再生装置（１０）であって、
前記運転者の運転ストレスを推定するための情報を取得可能な情報取得部（１２）と、
前記音声の再生中に前記情報に基づいて前記運転者の運転ストレスを推定する運転ストレス推定部と（１３）、
前記運転ストレスが所定よりも高くなっている再生区間を記憶する記憶部（１４）と、
前記運転者からの巻き戻し要求を受けて、前記音声を巻き戻す巻き戻し部（１５）と、
前記音声の巻き戻しによって遡った範囲をもう一度再生する巻き戻し再生で、前記記憶部に記憶されている再生区間であるか否かに応じて再生速度を変更する再生制御部（１１）と
を備える音声再生装置。
【請求項２】
請求項１に記載の音声再生装置であって、
前記巻き戻し再生が終了する以前に、該巻き戻し再生の終了を前記運転者に対して報知する報知部（１６）を備える
音声再生装置。
【請求項３】
請求項１または請求項２に記載の音声再生装置であって、
前記再生制御部は、前記巻き戻し再生で再生速度を変更する場合に、所定の割合で連続的に再生速度を変化させる変更区間を設ける
音声再生装置。
【請求項４】
請求項１または請求項２に記載の音声再生装置であって、
前記再生制御部は、前記音声に含まれる所定時間以上の無音声箇所を詰めることで再生を速める
音声再生装置。
【請求項５】
車両に適用されて、録音された音声を該車両の運転者に対して再生する音声再生方法であって、
前記運転者の運転ストレスを推定するための情報を取得する情報取得工程（Ｓ１０２，Ｓ１０５）と、
前記音声の再生中に前記情報に基づいて前記運転者の運転ストレスを推定する運転ストレス推定工程（Ｓ１０３，Ｓ１０６）と、
前記運転ストレスが所定よりも高くなっている再生区間を記憶する記憶工程（Ｓ１０４，Ｓ１０７）と、
前記運転者からの巻き戻し要求を受けて、前記音声を巻き戻す巻き戻し工程（Ｓ１２２）と、
前記音声の巻き戻しによって遡った範囲をもう一度再生する巻き戻し再生で、前記記憶工程で記憶された再生区間であるか否かに応じて再生速度を変更する再生制御工程（Ｓ１２４，Ｓ１２５）と
を備える音声再生方法。
【請求項６】
録音された音声を利用者に対して再生する音声再生装置（２０）であって、
前記利用者の心理状態を推定するための情報を取得可能な情報取得部（２２）と、
前記音声の再生中に前記情報に基づいて前記利用者の心理状態を推定する心理状態推定部（２３）と、
前記心理状態推定部の推定結果に基づいて前記音声に対する前記利用者の意識を判定する判定部（２４）と、
前記音声に対する前記利用者の意識が所定よりも低下している再生区間を記憶する記憶部（２５）と、
前記利用者からの巻き戻し要求を受けて、前記音声を巻き戻す巻き戻し部（２６）と、
前記音声の巻き戻しによって遡った範囲をもう一度再生する巻き戻し再生で、前記記憶部に記憶されている再生区間であるか否かに応じて再生速度を変更する再生制御部（２１）と
を備える音声再生装置。
【発明の詳細な説明】
【技術分野】
【０００１】
本発明は、録音された音声を再生する音声再生装置および音声再生方法に関する。
【背景技術】
【０００２】
車両の多くはオーディオプレーヤー（音声再生装置）を搭載しており、コンパクトディスク（ＣＤ）やメモリなどに記憶された音声を利用者（運転者）に対して再生することが可能である。そのため、運転者は、書籍の朗読などが録音されたコンテンツを、車両で移動中の時間を利用して聞くことができる。ただし、運転者が運転に注力すると、音声に対する意識が低下するので、「音声は聞こえているが意味を理解していない区間（聞き逃し区間）」が発生する。このような場合、聞き逃し区間をもう一度聞き直すために、巻き戻しを行う。このとき、聞き逃し区間だけを聞いても意味を理解し難いので、少し余分に遡ることになる。
再生中の音声を巻き戻す技術としては、例えば、巻き戻し量（時間）を利用者が任意に設定可能とし、設定された巻き戻し量だけ遡って再生することが提案されている（特許文献１）。
【先行技術文献】
【特許文献】
【０００３】
【特許文献１】特開２００２−２０８２１２号公報
【発明の概要】
【発明が解決しようとする課題】
【０００４】
しかし、音声の巻き戻しによって遡った範囲をもう一度再生する巻き戻し再生では、聞き逃し区間の前後に「既に一度聞いて意味を理解している区間（理解済み区間）」があり、こうした理解済み区間を改めて聞くことに対して、利用者が非効率と感じることがあるという問題があった。かといって、聞き逃し区間をピンポイントで再生したので、前後の関係で聞き逃し区間の意味を正しく理解できないことがある。
【０００５】
この発明は、従来技術が有する上述した課題に鑑みてなされたものであり、巻き戻し再生で、聞き逃し区間を効率的に聞き直すことが可能な技術の提供を目的とする。
【課題を解決するための手段】
【０００６】
上述した課題を解決するために本発明の音声再生装置および音声再生方法は、音声の再生中に車両の運転者の運転ストレスを推定し、運転ストレスが所定よりも高くなっている再生区間を記憶する。また、運転者からの巻き戻し要求を受けて音声を巻き戻す。そして、音声の巻き戻しによって遡った範囲をもう一度再生する巻き戻し再生では、記憶されている再生区間であるか否かに応じて再生速度を変更する。
【０００７】
このような本発明の音声再生装置および音声再生方法によれば、運転ストレスが高いと推定され記憶しておいた再生区間は、運転者が運転に注力していた可能性が高く、運転者が意味を理解していない（聞き逃し区間）と判断されるので、巻き戻す前の通常の再生と同様の再生速度で再生することで運転者の聞き取り易さを確保することができる。これに対して、記憶しておいた再生区間（聞き逃し区間）の前後は、運転者が既に一度聞いて意味を理解済みであることから、再生速度を速めて聞き流すようにすることによって、聞き逃し区間を前後の文脈を確認しながら効率的に聞き直すことが可能となる。
【図面の簡単な説明】
【０００８】
【図１】本実施例の音声再生装置１０の構成を示す説明図である。
【図２】本実施例の音声再生装置１０で実行される音声再生制御処理を示すフローチャートである。
【図３】巻き戻し再生制御処理を示すフローチャートである。
【図４】巻き戻し再生制御処理に従って巻き戻し再生が行われる様子を模式的に示した説明図である。
【図５】低ストレス区間に含まれる無音声の箇所を詰める例を模式的に示した説明図である。
【図６】変形例の音声再生装置２０の構成を示す説明図である。
【発明を実施するための形態】
【０００９】
以下では、上述した本願発明の内容を明確にするために実施例について説明する。
Ａ．装置構成  ：
図１には、本実施例の音声再生装置１０の構成が示されている。本実施例の音声再生装置１０は、車両に搭載されており、再生制御部１１と、情報取得部１２と、運転ストレス推定部１３と、記憶部１４と、巻き戻し部１５と、報知部１６などを備えている。
尚、これら６つの「部」１１〜１６は、音声再生装置１０を機能に着目して概念的に分類したものであり、それぞれが必ずしも物理的に独立して存在している必要はない。これらは、各種の機器や、電子部品、集積回路、コンピューター、コンピュータープログラム、あるいはそれらの組合せなどによって構成することができる。
【００１０】
再生制御部１１は、コンパクトディスク（ＣＤ）やメモリに記憶された音声の再生を制御する。再生する音声としては、書籍の朗読や、講演や、語学学習用のコンテンツなどを例示することができる。
【００１１】
情報取得部１２は、車両の運転者の運転ストレスを推定するための情報（ストレス情報）を取得する。本実施例の情報取得部１２は、ストレス情報として、車両に搭載された図示しないナビゲーションシステムから車両の周辺状況を取得するようになっている。
運転ストレス推定部１３は、取得されたストレス情報に基づいて運転者の運転ストレスを推定する。本実施例では、運転ストレスを高低の２段階に分けて推定するようになっている。また、「合流地点」や「急カーブ」などの運転に注意を要する周辺状況（要注意状況）が予め設定されており、取得した車両の周辺状況がこれらの要注意状況に該当すれば、運転ストレスが高いと推定する。
【００１２】
尚、ストレス情報は車両の周辺状況に限られない。例えば、車両の周囲を監視するカメラやセンサーから障害物の接近などの警告を伴う情報を取得したことに基づいて運転ストレスが高いと推定してもよい。また、アクセルやブレーキやハンドルなどの操作部から急制動あるいは急ハンドルを示す情報を取得したことに基づいて運転ストレスが高いと推定してもよい。また、運転者を監視するカメラから取得した運転者の視線の移動量に基づいて、視線の移動量が減少すると運転者に余裕がないものとして運転ストレスが高いと推定してもよい。
【００１３】
記憶部１４は、音声の再生中に運転ストレス推定部１３によって運転ストレスが高いと推定された場合に、再生制御部１１から再生位置を取得し、運転ストレスが高くなっている再生区間を記憶する。記憶しておく再生区間は１つに限られず、複数記憶することが可能である。
巻き戻し部１５は、運転者が操作可能な巻き戻しスイッチ１７が操作された場合に、音声の再生位置を所定量だけ巻き戻す。すると、再生制御部１１は、巻き戻しで遡った範囲をもう一度再生する巻き戻し再生を実行する。本実施例では、巻き戻し再生における再生速度を、記憶部１４に記憶された再生区間であるか否かに応じて変更するようになっており、再生速度を変更する詳細については後述する。
報知部１６は、巻き戻し再生が終了する以前に、巻き戻し再生の終了を運転者に対して報知する。本実施例では、所定の報知音（例えば「ピッ」という効果音）を出力することで報知するようになっている。
【００１４】
Ｂ．音声再生制御処理  ：
図２には、本実施例の音声再生装置１０で実行される音声再生制御処理のフローチャートが示されている。
この音声再生制御処理（Ｓ１００）は、図示しない再生スイッチが運転者によって操作されることで開始される。音声再生制御処理（Ｓ１００）では、まず、再生速度を基準値に設定して、ＣＤやメモリに記憶された音声の再生を開始する（Ｓ１０１）。この再生速度の基準値は運転者が聞き取り易いように変更することが可能となっている。
【００１５】
続いて、ストレス情報として車両の周辺状況を取得し（Ｓ１０２）、取得したストレス情報に基づいて推定した運転ストレスが高いか否かを判断する（Ｓ１０３）。例えば、取得した周辺状況が「合流地点」などの要注意状況であり、運転ストレスが高いと推定した場合は（Ｓ１０３：ｙｅｓ）、その時点での音声の再生位置を高ストレス開始位置として記憶する（Ｓ１０４）。
【００１６】
その後、再びストレス情報（車両の周辺状況）を取得し（Ｓ１０５）、取得したストレス情報に基づいて推定した運転ストレスが低いか否かを判断する（Ｓ１０６）。依然として運転ストレスの高い状況が続いている場合は（Ｓ１０６：ｎｏ）、Ｓ１０５の処理に戻って、取得したストレス情報に基づいて運転ストレスを推定しながら、運転ストレスが低くなるまで待機する。
そして、上記の例で、取得した周辺状況が「合流地点」などの要注意状況から脱して、運転ストレスが低いと推定した場合は（Ｓ１０６：ｙｅｓ）、その時点での音声の再生位置を高ストレス終了位置として記憶する（Ｓ１０７）。
こうして高ストレス開始位置および高ストレス終了位置を記憶することで、運転ストレスが高くなっている再生区間（高ストレス区間）を記憶することができる。このような高ストレス区間は、運転者が運転に注力することによって、「音声は聞こえているが意味を理解していない区間（聞き逃し区間）」となっている可能性が高い。
【００１７】
以上では、Ｓ１０３の処理で運転ストレスが高いと推定した場合（Ｓ１０３：ｙｅｓ）について説明した。これに対して、運転ストレスが低いと推定した場合は（Ｓ１０３：ｎｏ）、高ストレス区間を記憶する必要がないので、Ｓ１０４〜Ｓ１０７の処理を省略して、巻き戻しスイッチ１７の操作を検出したか否かを判断する（Ｓ１０８）。
運転者は、聞き逃し区間が発生するなどしてもう一度聞き直したい場合には、巻き戻しスイッチ１７を操作することで、音声の巻き戻しを要求することが可能である。尚、運転者の巻き戻し要求を検出する態様は、巻き戻しスイッチ１７の操作検出に限られず、「戻って」などの音声コマンドを検出してもよい。
【００１８】
巻き戻しスイッチ１７の操作を検出していない場合は（Ｓ１０８：ｎｏ）、続いて、音声の再生を終了するか否かを判断する（Ｓ１０９）。本実施例では、図示しない停止スイッチが運転者に操作されるか、音声コンテンツの終了によって音声の再生を終了するようになっている。そして、音声の再生を終了しない場合は（Ｓ１０９：ｎｏ）、Ｓ１０２の処理に戻り、取得したストレス情報に基づいて運転ストレスが高いと推定すると、高ストレス区間を記憶する処理を繰り返す（Ｓ１０２〜Ｓ１０７）。本実施例では、高ストレス区間を複数記憶しておくことが可能となっている。
【００１９】
その後、Ｓ１０８の処理において、書き戻しスイッチ１７の操作を検出した場合は（Ｓ１０８：ｙｅｓ）、巻き戻し再生制御処理を実行する（Ｓ１１０）。
図３には、巻き戻し再生制御処理のフローチャートが示されている。図示されるように巻き戻し再生制御処理（Ｓ１１０）では、まず、巻き戻しスイッチ１７の操作が検出された時点での音声の再生位置を巻き戻し操作位置として記憶し（Ｓ１２１）、その再生位置から所定量だけ巻き戻す（Ｓ１２２）。このとき巻き戻す量は、運転者が予め設定しておくことが可能となっている。また、巻き戻しスイッチ１７の操作が連続で複数回検出された場合は、最初の検出の時点で巻き戻し操作位置を記憶し、検出された回数分だけ所定量を巻き戻してもよい。
【００２０】
そして、巻き戻しによって遡った範囲をもう一度再生する巻き戻し再生では、再生位置が高ストレス区間内（記憶された高ストレス開始位置と高ストレス終了位置との間）であるか否かを判断する（Ｓ１２３）。再生位置が高ストレス区間内ではない場合は（Ｓ１２３：ｎｏ）、再生速度を基準値の２倍（２倍速）に設定する（Ｓ１２４）。一方、再生位置が高ストレス区間内である場合は（Ｓ１２３：ｙｅｓ）、再生速度を基準値に設定する（Ｓ１２５）。
【００２１】
このように設定した再生速度で巻き戻し再生を実行しながら、再生位置が巻き戻し操作位置より前の報知位置であるか否かを判断する（Ｓ１２６）。巻き戻し操作位置は、巻き戻しスイッチ１７が操作された再生位置を示すと共に、巻き戻し再生の終了位置を示している。前述したように本実施例では、巻き戻し再生が終了する以前に、巻き戻し再生の終了を運転者に対して報知するための報知音を出力するようになっている。再生位置が報知位置ではない場合は（Ｓ１２６：ｎｏ）、報知音を出力することなく、続いて、再生位置が巻き戻し操作位置に達したか否かを判断する（Ｓ１２８）。
再生位置が巻き戻し操作位置に達していない場合は（Ｓ１２８：ｎｏ）、巻き戻し再生が継続されるので、Ｓ１２３の処理に戻って再生位置が高ストレス区間内であるか否かに応じて再生速度を設定する。すなわち、再生位置が高ストレス区間に入る場合は再生速度を基準値に変更する。一方、再生位置が高ストレス区間から出た場合は再生速度を２倍速に変更する。尚、本実施例では、再生速度を変更する場合、所定の割合で連続的に再生速度を変化させる変更区間を設けて徐々に再生速度を変化させるようになっている。
【００２２】
こうして巻き戻し再生を継続するうちに、再生位置が報知位置になった場合は（Ｓ１２６：ｙｅｓ）、報知音を出力する（Ｓ１２７）。
さらに、再生位置が巻き戻し操作位置に達した場合は（Ｓ１２８：ｙｅｓ）、巻き戻し再生が終了し、通常の再生（運転者が未だ聞いていない部分の再生）に戻るので、再生速度を基準値に設定したら（Ｓ１２９）、図３の巻き戻し再生制御処理を終了して、図２の音声再生制御処理に復帰する。
【００２３】
音声再生制御処理では、巻き戻し再生制御処理（Ｓ１１０）から復帰すると、音声の再生を終了するか否かを判断する（Ｓ１０９）。再生を継続する場合は（Ｓ１０９：ｎｏ）、再びＳ１０２の処理に戻って、取得したストレス情報に基づいて運転ストレスを推定し、高ストレス区間を記憶すると共に、巻き戻しスイッチ１７の操作の検出に伴い、上述した巻き戻し再生制御処理（Ｓ１１０）を実行する。
そして、Ｓ１０２〜Ｓ１１０の処理を繰り返すうちに、運転者によって停止スイッチが操作されるか、音声コンテンツの終了によって音声の再生を終了する場合は（Ｓ１０９：ｙｅｓ）、音声の再生を停止して（Ｓ１１１）、図２の音声再生制御処理を終了する。
【００２４】
図４には、上述した巻き戻し再生制御処理（Ｓ１１０）に従って巻き戻し再生が行われる様子が模式的に示されている。図の横軸は音声の再生位置を示しており、再生は右方向に進むものとする。また、図の縦軸は音声の再生速度を示している。
まず、運転者によって巻き戻しスイッチ１７が操作されると、図中の右端に示したように、その時点での再生位置を巻き戻し操作位置として記憶し、この再生位置から所定量を巻き戻す（破線の矢印で示したように再生位置を左方向に戻す）。
【００２５】
図示した例では、巻き戻しによって遡った再生位置が高ストレス区間（高ストレス開始位置と高ストレス終了位置との間）よりも前の低ストレス区間（高ストレス区間として記憶されていない再生区間）であるので、再生速度を２倍速（基準値の２倍）に設定して巻き戻し再生を開始する。
こうして開始された巻き戻し再生では、再生位置が高ストレス開始位置に近付くと再生速度を徐々に遅くし、高ストレス区間では再生速度を基準値に設定する。続いて、再生位置が高ストレス終了位置を過ぎると、今度は再生速度を徐々に速くして２倍速に設定する。
【００２６】
そして、再生位置が巻き戻し操作位置より前の報知位置になると、報知音を出力することで巻き戻し再生の終了を運転者に対して報知する。
さらに、再生位置が巻き戻し操作位置に近付くと再生速度を徐々に遅くし、巻き戻し操作位置に達したら巻き戻し再生を終了すると共に、再生速度を基準値に設定して通常の再生に戻る。
【００２７】
以上に説明したように本実施例の音声再生装置１０では、巻き戻し再生における再生速度を、記憶しておいた高ストレス区間内であるか否かに応じて変更するようになっている。運転ストレスが高いと推定された高ストレス区間は、運転者が運転に注力していた可能性が高く、運転者が意味を理解していない（聞き逃し区間）と判断されるので、通常の再生と同様に基準値の再生速度で再生することで運転者の聞き取り易さを確保することができる。これに対して、高ストレス区間（聞き逃し区間）の前後は、運転者が既に一度聞いて意味を理解済みであることから、再生速度を速めて２倍速で聞き流すようにすることによって、聞き逃し区間を前後の文脈を確認しながら効率的に聞き直すことが可能となる。
【００２８】
また、本実施例の巻き戻し再生では、再生位置が高ストレス開始位置に近付くにつれて再生速度を徐々に遅くする変更区間を設けると共に、再生位置が高ストレス終了位置を過ぎると再生速度を徐々に速くする変更区間を設けている。こうしておけば、再生速度の急な変化で運転者が違和感を覚えることを抑制し、巻き戻し再生における聞き取り易さを向上させることができる。
【００２９】
さらに、本実施例の音声再生装置１０では、巻き戻し再生の終了を運転者に対して報知するための報知音を出力するようになっている。報知音によって、運転者は、巻き戻しスイッチ１７を操作した再生位置に復帰したことや、この先は未だ聞いていないことが分かるので、新たな聞き取りに集中することが可能となる。
報知するタイミングとしては、巻き戻し再生の終了時（巻き戻し操作位置）、あるいはその少し前であればよい。特に、巻き戻し再生の終了直前にある文頭などの区切りの良い再生位置で報知すれば、新たな聞き取りで意味を理解し易くなるので、運転者の利便性を向上させることができる。尚、音声の区切り（文頭）は、所定時間以上の無音声の箇所を抽出することによって特定することができる。
【００３０】
また、本実施例の音声再生装置１０では、巻き戻し再生の低ストレス区間において再生を速める際に２倍速に設定することとしたが、再生を速める態様はこれに限られない。例えば、低ストレス区間に含まれる無音声の箇所を詰めることとしてもよい。
図５には、低ストレス区間に含まれる無音声の箇所を詰める例が模式的に示されている。図５（ａ）には、無音声の箇所を含んだ低ストレス区間が例示されており、ハッチングを付した箇所は音声が検出されるのに対して、白抜きの箇所は所定時間以上に亘って音声が検出されないことを表している。
そして、巻き戻し再生では、図５（ｂ）に示したように無音声の箇所を詰める（飛ばす）ことによって、その分だけ低ストレス区間の再生時間を短縮して再生を速めることができるので、聞き逃し区間を効率的に聞き直すことが可能となる。
【００３１】
Ｃ．変形例  ：
上述した実施例では、音声再生装置１０が車両に搭載されているものとして説明したが、車両に搭載されるものに限られず、利用者が携帯するものであってもよい。以下では、利用者が携帯可能な変形例の音声再生装置２０について説明する。
【００３２】
図６には、変形例の音声再生装置２０の構成が示されている。変形例の音声再生装置２０は、利用者が携帯可能に構成されており、再生制御部２１と、情報取得部２２と、心理状態推定部２３と、判定部２４と、記憶部２５と、巻き戻し部２６と、報知部２７などを備えている。
再生制御部２１は、ＣＤやメモリに記憶された音声（書籍の朗読や、講演や、語学学習用のコンテンツなど）の再生を制御する。
【００３３】
情報取得部２２は、利用者の心理状態を推定するための情報（心理状態情報）を取得する。変形例の情報取得部２２は、心理状態情報として、利用者が装着している腕時計型の端末から利用者の脈拍を取得するようになっている。
心理状態推定部２３は、取得された利用者の脈拍に基づいて、利用者の心理状態として「眠気」を推定する。
判定部２４は、心理状態推定部２３の推定結果に基づいて、音声に対する利用者の意識を判定し、利用者の眠気が高まっている（居眠りしている）と推定されると、音声に対する利用者の意識が低下していると判定する。
【００３４】
尚、心理状態情報は利用者の脈拍に限られない。例えば、利用者が装着しているメガネ型の端末から利用者の視線を取得することとして、視線が大きく移動した場合に、その方向に利用者が気を取られたと推定して、音声に対する利用者の意識が低下していると判定してもよい。
【００３５】
記憶部２５は、音声の再生中に判定部２４によって音声に対する利用者の意識が低下していると判定された場合に、再生制御部２１から再生位置を取得し、利用者の意識が低下している音声の再生区間（低意識区間）を記憶する。
巻き戻し部２６は、利用者が操作可能な巻き戻しスイッチ２８が操作された場合に、音声の再生位置を所定量だけ巻き戻す。
すると、再生制御部２１は、巻き戻しで遡った範囲をもう一度再生する巻き戻し再生を実行する。変形例では、巻き戻し再生における再生速度を、記憶部２５に記憶された低意識区間であるか否かに応じて変更する。
報知部２７は、巻き戻し再生が終了する以前に、巻き戻し再生の終了を利用者に対して報知する。
【００３６】
このような変形例の音声再生装置２０で実行される巻き戻し再生では、記憶された低意識区間であれば、利用者が意味を理解していない（聞き逃し区間）と判断されるので、通常の再生と同様の再生速度で再生することで利用者の聞き取り易さを確保することができる。これに対して、低意識区間の前後であれば、利用者が既に一度聞いて意味を理解済みであると判断されるので、再生速度を速めて聞き流すようにすることで、聞き逃し区間を前後の文脈を確認しながら効率的に聞き直すことが可能となる。
【００３７】
以上、実施例および変形例について説明したが、本発明は上記の実施例および変形例に限られるものではなく、その要旨を逸脱しない範囲において種々の態様で実施することができる。
【００３８】
例えば、前述した実施例では、運転ストレスを高低の２段階に分けて推定するようになっていたが、運転ストレスを多段階（例えばストレス１〜４の４段階）に分けて推定するようにしてもよい。この場合は、推定された運転ストレス（ストレス１〜４）を音声の再生位置と対応付けて記憶しておき、巻き戻し再生では、記憶されている運転ストレスに応じて再生速度を変更してもよい。例えば、最も運転ストレスが高いストレス４の再生区間であれば、再生速度を基準値に設定し、これよりも運転ストレスが低いストレス３の再生区間では、再生速度を基準値の１．２倍に設定してもよい。さらに運転ストレスが低いストレス２の再生区間では、再生速度を基準値の１．５倍に設定し、最も運転ストレスが低いストレス１の再生区間では、再生速度を基準値の２倍に設定してもよい。推定された運転ストレスが低いほど、既に意味を理解済みである可能性が高いので、再生速度を速めて聞き流すようにすることで、文脈を確認しながら効率的に聞き直すことができる。
【００３９】
また、巻き戻し再生では、記憶しておいた高ストレス区間内であるか否かに応じて、音声の再生音量を異ならせてもよい。例えば、高ストレス区間の前後は、運転者による設定音量とするのに対して、高ストレス区間は、設定音量よりも大きな音量としてもよい。このようにすれば、高ストレス区間（聞き逃し区間）を際立たせることができ、運転者が聞き取り易くなるので、聞き直しの利便性を向上させることができる。
【符号の説明】
【００４０】
１０…音声再生装置、        １１…再生制御部、        １２…情報取得部、
１３…運転ストレス推定部、  １４…記憶部、            １５…巻き戻し部、
１６…報知部、              １７…巻き戻しスイッチ、  ２０…音声再生装置、
２１…再生制御部、          ２２…情報取得部、        ２３…心理状態推定部、
２４…判定部、              ２５…記憶部、            ２６…巻き戻し部、
２７…報知部、              ２８…巻き戻しスイッチ。
【図１】
2016119133.tif 000003
【図２】
2016119133.tif 000004
【図３】
2016119133.tif 000005
【図４】
2016119133.tif 000006
【図５】
2016119133.tif 000007
【図６】
2016119133.tif 000008